(57)【要約】【課題】低コストで親局装置の冗長化を実現することができる光通信システムを得ること。【解決手段】光分配器６−１〜６−Ｎを介してＯＮＵと接続するＯＬＴ１−１〜１−Ｎと予備系ＯＬＴ１ａと切替制御装置３と光分配器７−１〜７−Ｎにより分岐された回線と予備系ＯＬＴ１ａとを接続する光スイッチ５とを備える光通信システムであって、切替制御装置３は、予備系ＯＬＴ１ａおよび管理情報の取得対象のＯＬＴ１−１〜１−Ｎへ管理情報収集制御の開始を指示し、光スイッチ５へ管理情報の取得対象のＯＬＴ１−１〜１−Ｎと接続する光分配器６−１〜６−Ｎにより分岐された回線を予備系ＯＬＴ１ａと接続するよう指示し、予備系ＯＬＴ１ａは、ＯＮＵ２−１〜２−Ｋからの信号光を受信可能な状態へ移行し、ＯＬＴ１−１〜１−Ｎは、ＯＮＵへ管理情報の収集を指示し、ＯＮＵは管理情報を送信し、予備系ＯＬＴ１ａは、ＯＮＵから管理情報を受信して保持する。【選択図】図１
2014236419.tif 000002
【特許請求の範囲】
【請求項１】
１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチとを備える光通信システムであって、
前記切替制御装置は、前記予備系親局装置が前記子局装置との通信に使用されていない時間帯に、前記予備系親局装置へ管理情報収集制御の開始を指示するとともに、前記複数の現用系親局装置のうちから前記子局装置との通信に使用される管理情報の取得対象とする対象現用系親局装置を選択し、前記光スイッチへ前記対象現用系親局装置と接続する前記第１の光分配器により分岐された回線を前記予備系親局装置と接続するよう指示し、前記対象現用系親局装置へ前記管理情報収集制御の開始を指示し、
前記管理情報収集制御の開始を指示された前記予備系親局装置は、前記子局装置からの信号光を受信可能な状態へ移行し、
前記管理情報収集制御の開始を指示された前記対象現用系親局装置は、自装置に接続する前記子局装置へ管理情報の収集を指示し、
管理情報の収集を指示された前記子局装置は、前記対象現用系親局装置との通信に用いる管理情報を送信し、
前記予備系親局装置は、前記子局装置から送信された管理情報を受信し、受信した管理情報を保持することを特徴とする光通信システム。
【請求項２】
前記切替制御装置は、前記管理情報収集制御の開始を定期的に指示することを特徴とする請求項１に記載の光通信システム。
【請求項３】
前記切替制御装置は、所定のコマンドの入力があった場合に前記管理情報収集制御
の開始を指示することを特徴とする請求項１または２に記載の光通信システム。
【請求項４】
前記切替制御装置は、前記複数の現用系親局装置の全てを、順次、管理情報の取得対象とすることを特徴とする請求項１、２または３に記載の光通信システム。
【請求項５】
前記切替制御装置は、前記複数の現用系親局装置のうちの一部を管理情報の取得対象とすることを特徴とする請求項１、２または３に記載の光通信システム。
【請求項６】
前記複数の現用系親局装置と前記予備系親局装置とにそれぞれ接続する２つ以上の第１のポートと上位ネットワークに接続する第２のポートとを備え、前記第１のポートと第２のポートを任意に接続する集線装置、を備え、
前記切替制御装置は、前記複数の現用系親局装置のうちの１つを切替元装置とし、前記切替元装置から前記予備系親局装置への切替を実施すると判断した場合、前記切替元装置へ通信停止制御を実施するよう指示するとともに、前記集線装置に対して前記切替元装置に接続する前記第１のポートに替えて前記予備系親局装置に接続する前記第１のポートを前記第２のポートと接続するよう指示し、この指示の後、前記予備系親局装置へ通信再開制御を実施するよう指示し、
前記通信停止制御の実施を指示された前記切替元装置は、自装置に接続する前記子局装置に対して、通信再開が指示されるまで前記切替元装置との間のリンクの設定情報を保持するよう指示するホールドオーバー開始通知を送信し、
前記通信再開制御の実施を指示された前記予備系親局装置は、前記子局装置との間で信号光を送受信可能な状態へ移行し、前記切替元装置に接続していた前記子局装置へ通信再開の指示を送信し、
前記ホールドオーバー開始通知を受信した前記子局装置は、前記通信再開の指示を受信するまで、前記切替元装置との間のリンクの設定情報を保持することを特徴とする請求項１〜５のいずれか１つに記載の光通信システム。
【請求項７】
１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチとを備える光通信システムにおいて前記現用系親局装置として動作する親局装置であって、
前記切替制御装置から、前記子局装置との通信に使用される管理情報の取得するための管理情報収集制御の開始を指示された場合に自装置に接続する前記子局装置へ管理情報の収集を指示する管理情報収集メッセージを生成するメッセージ生成部と、
前記管理情報収集メッセージを自装置に接続する前記子局装置へ送信する光送受信部と、
を備えることを特徴とする親局装置。
【請求項８】
前記メッセージ生成部は、前記切替制御装置から、通信停止制御を実施するよう指示された場合、自装置に接続する前記子局装置に対して、通信再開が指示されるまで前記切替元装置との間のリンクの設定情報を保持するよう指示するためのホールドオーバー開始メッセージを生成し、
前記光送受信部は、前記ホールドオーバー開始メッセージを自装置に接続する前記子局装置へ送信することを特徴とする請求項７に記載の親局装置。
【請求項９】
１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチとを備える光通信システムにおいて前記予備系親局装置として動作する親局装置であって、
自装置に接続する前記子局装置から信号光を受信する光受信器と、
自装置に接続する前記子局装置へ信号光を送信する光送信器と、
前記切替制御装置から、前記子局装置との通信に使用される管理情報を取得するための管理情報収集制御の開始を指示された場合に、前記光受信器を動作させ、
前記子局装置から送信された管理情報を受信し、受信した管理情報を送信元の前記子局装置が接続する前記現用系親局装置ごとに保持することを特徴とする親局装置。
【請求項１０】
前記複数の現用系親局装置のうちの１つである切替元装置から前記予備系親局装置への切替時に前記切替制御装置から送信される通信再開制御実施指示を受信した場合、前記光送信器および前記光受信器を動作させ、前記切替元装置に接続していた前記子局装置へ通信再開の指示を送信することを特徴とする請求項９に記載の親局装置。
【請求項１１】
１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチとを備える光通信システムにおける前記子局装置であって、
自装置が接続する前記現用系親局装置から、前記現用系親局装置との通信に使用される管理情報の取得を要求する管理情報収集メッセージを受信すると、前記管理情報の送信を指示するメッセージ受信部と、
前記メッセージ受信部からの指示に基づいて、自装置が保持する前記管理情報を格納した管理情報格納メッセージを生成する制御部と、
前記管理情報格納メッセージを光信号として前記光回線へ自装置が接続する前記現用系親局装置へ向けて送信する光送信器と、
を備え、
前記現用系親局装置は、前記切替制御装置から管理情報収集制御の開始を指示された場合に前記管理情報収集メッセージを送信することを特徴とする子局装置。
【請求項１２】
前記現用系親局装置との間のリンクの設定情報を保持するよう指示するためのホールドオーバー開始メッセージを自装置が接続する前記現用系親局装置から受信した場合、当該現用系親局装置との間のリンクの設定情報を保持し、前記予備系親局装置から通信再開を指示するホールドオーバー完了メッセージを受信すると保持している前記リンクの設定情報を用いて通信を再開することを特徴とする請求項１１に記載の子局装置。
【請求項１３】
１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチとを備える光通信システムにおける前記切替制御装置であって、
前記予備系親局装置が前記子局装置との通信に使用されていない時間帯に、前記予備系親局装置へ管理情報収集制御の開始を指示するとともに、前記複数の現用系親局装置のうちから前記子局装置との通信に使用される管理情報の取得対象とする対象現用系親局装置を選択し、前記光スイッチへ前記対象現用系親局装置と接続する前記第１の光分配器により分岐された回線を前記予備系親局装置と接続するよう指示し、前記対象現用系親局装置へ前記管理情報収集制御の開始を指示することを特徴とする切替制御装置。
【請求項１４】
前記切替制御装置は、前記複数の現用系親局装置のうちの１つを切替元装置とし、前記切替元装置から前記予備系親局装置への切替を実施すると判断した場合、前記切替元装置へ通信停止制御を実施するよう指示するとともに、前記複数の現用系親局装置と前記予備系親局装置とにそれぞれ接続する２つ以上の第１のポートと上位ネットワークに接続する第２のポートとを備え前記第１のポートと第２のポートを任意に接続する集線装置に対して、前記切替元装置に接続する前記第１のポートに替えて前記予備系親局装置に接続する前記第１のポートを前記第２のポートと接続するよう指示し、この指示の後、前記予備系親局装置へ通信再開制御を実施するよう指示することを特徴とする請求項１３に記載の切替制御装置。
【請求項１５】
１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチとを備える光通信システムにおいて前記現用系親局装置として動作する親局装置における制御装置であって、
前記切替制御装置から、前記子局装置との通信に使用される管理情報を取得するための管理情報収集制御の開始を指示された場合に自装置に接続する前記子局装置へ管理情報の収集を指示する管理情報収集メッセージを生成するメッセージ生成部と、
前記管理情報収集メッセージを自装置に接続する前記子局装置へ送信する光送受信部と、
を備えることを特徴とする制御装置。
【請求項１６】
１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチとを備える光通信システムにおいて前記予備系親局装置として動作する親局装置における制御装置であって、
前記切替制御装置から、前記子局装置との通信に使用される管理情報を取得するための管理情報収集制御の開始を指示された場合に、自装置の光受信器を動作させ、
前記子局装置から送信された管理情報を受信し、受信した管理情報を送信元の前記子局装置が接続する前記現用系親局装置ごとに保持することを特徴とする制御装置。
【請求項１７】
１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチとを備える光通信システムにおける前記子局装置における制御装置であって、
自装置が接続する前記現用系親局装置から、前記現用系親局装置との通信に使用される管理情報の取得を要求する管理情報収集メッセージを受信すると、前記管理情報の送信を指示するメッセージ受信部と、
前記メッセージ受信部からの指示に基づいて、自装置が保持する前記管理情報を格納した管理情報格納メッセージを生成する制御部と、
前記管理情報格納メッセージを光信号として前記光回線へ自装置が接続する前記現用系親局装置へ向けて送信する光送信器と、
を備え、
前記現用系親局装置は、前記切替制御装置から管理情報収集制御の開始を指示された場合に前記管理情報収集メッセージを送信することを特徴とする制御装置。
【請求項１８】
１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチとを備える光通信システムにおける管理情報取得方法であって、
前記切替制御装置が、前記予備系親局装置が前記子局装置との通信に使用されていない時間帯に、前記予備系親局装置へ管理情報収集制御の開始を指示するとともに、前記複数の現用系親局装置のうちから前記子局装置との通信に使用される管理情報の取得対象とする対象現用系親局装置を選択し、前記光スイッチへ前記対象現用系親局装置と接続する前記第１の光分配器により分岐された回線を前記予備系親局装置と接続するよう指示し、前記対象現用系親局装置へ前記管理情報収集制御の開始を指示する第１のステップと、
前記管理情報収集制御の開始を指示された前記予備系親局装置が、前記子局装置からの信号光を受信可能な状態へ移行する第２のステップと、
前記管理情報収集制御の開始を指示された前記対象現用系親局装置が、自装置に接続する前記子局装置へ管理情報の収集を指示する第３のステップと、
管理情報の収集を指示された前記子局装置が、前記対象現用系親局装置との通信に用いる管理情報を送信する第４のステップと、
前記予備系親局装置が、前記子局装置から送信された管理情報を受信し、受信した管理情報を保持する第５のステップと、
を含むことを特徴とする管理情報取得方法。
【請求項１９】
１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチと前記複数の現用系親局装置と前記予備系親局装置とにそれぞれ接続する２つ以上の第１のポートと上位ネットワークに接続する第２のポートとを備え、前記第１のポートと第２のポートを任意に接続する集線装置とを備える光通信システムにおける回線切替方法であって、
前記切替制御装置が、前記予備系親局装置が前記子局装置との通信に使用されていない時間帯に、前記予備系親局装置へ管理情報収集制御の開始を指示するとともに、前記複数の現用系親局装置のうちから前記子局装置との通信に使用される管理情報の取得対象とする対象現用系親局装置を選択し、前記光スイッチへ前記対象現用系親局装置と接続する前記第１の光分配器により分岐された回線を前記予備系親局装置と接続するよう指示し、前記対象現用系親局装置へ前記管理情報収集制御の開始を指示する第１のステップと、
前記管理情報収集制御の開始を指示された前記予備系親局装置が、前記子局装置からの信号光を受信可能な状態へ移行する第２のステップと、
前記管理情報収集制御の開始を指示された前記対象現用系親局装置が、自装置に接続する前記子局装置へ管理情報の収集を指示する第３のステップと、
管理情報の収集を指示された前記子局装置が、前記対象現用系親局装置との通信に用いる管理情報を送信する第４のステップと、
前記予備系親局装置が、前記子局装置から送信された管理情報を受信し、受信した管理情報を保持する第５のステップと、
前記切替制御装置が、前記複数の現用系親局装置のうちの１つを切替元装置とし、前記切替元装置から前記予備系親局装置への切替を実施すると判断した場合、前記切替元装置へ通信停止制御を実施するよう指示するとともに、前記集線装置に対して前記切替元装置に接続する前記第１のポートに替えて前記予備系親局装置に接続する前記第１のポートを前記第２のポートと接続するよう指示し、この指示の後、前記予備系親局装置へ通信再開制御を実施するよう指示する第６のステップと、
前記通信停止制御の実施を指示された前記切替元装置が、自装置に接続する前記子局装置に対して、通信再開が指示されるまで前記切替元装置との間のリンクの設定情報を保持するよう指示するホールドオーバー開始通知を送信する第７のステップと、
前記通信再開制御の実施を指示された前記予備系親局装置が、前記子局装置との間で信号光を送受信可能な状態へ移行し、前記切替元装置に接続していた前記子局装置へ通信再開の指示を送信する第８のステップと、
前記ホールドオーバー開始通知を受信した前記子局装置が、前記通信再開の指示を受信するまで、前記切替元装置との間のリンクの設定情報を保持する第９のステップと、
を含むことを特徴とする回線切替方法。
【発明の詳細な説明】
【技術分野】
【０００１】
本発明は、光通信システム、親局装置、子局装置、切替制御装置、制御装置、管理情報取得方法および回線切替方法に関する。
【背景技術】
【０００２】
ＰＯＮ（Ｐａｓｓｉｖｅ  Ｏｐｔｉｃａｌ  Ｎｅｔｗｏｒｋ）システムは、１ないし複数の子局装置（ＯＮＵ（Ｏｐｔｉｃａｌ  Ｎｅｔｗｏｒｋ  Ｕｎｉｔ））を１台の親局装置（ＯＬＴ（Ｏｐｔｉｃａｌ  Ｌｉｎｅ  Ｔｅｒｍｉｎａｌ））で収容でき、子局装置と親局装置を１対１で接続する光アクセスシステムに比べ、通信サービスを低価格で加入者へ提供できる。このため、ＰＯＮシステムは、国内外で普及が進んでいる。
【０００３】
通信装置においては、一般的に稼働率の高さが要求されており、システムの稼働率を高めるための一方策として、構成要素の冗長化が挙げられる。一方で、ＰＯＮシステムのような光アクセスシステムにおいては、低価格でのサービス提供も同時に求められている。そのため、システム構成要素のすべてを冗長化するのではなく、局装置であるＯＬＴは冗長化するが、光ファイバ、光スプリッタ、ＯＮＵは冗長化せずに利用する形態が提案されている。このような形態の一例が、例えば特許文献１、非特許文献１に記載されている。
【０００４】
非特許文献１では、１台の現用系ＯＬＴに対して１台の予備系ＯＬＴを用意し、２：Ｎ光スプリッタと光ファイバを介してＮ台のＯＮＵと接続する構成（ＴＲＵＮＫプロテクション）が開示されている。非特許文献１では、このＴＲＵＮＫプロテクションの構成におけるＯＬＴ切替手順として、ＯＬＴ、ＯＮＵそれぞれの基本的な状態遷移、およびやり取りするメッセージについて規定している。
【０００５】
また、特許文献１では、複数のＯＬＴと制御部と電気スイッチと光スイッチを有し、Ｎ台の現用系ＯＬＴに対して１台の予備系ＯＬＴを備える構成が開示されている。特許文献１では、この構成において、ある１台の現用系ＯＬＴの光伝送路を光スイッチにより予備系ＯＬＴに切り替える方式が記載されている。切替の際に通信できなくなる時間を極力短くする効果を狙って、現用系ＯＬＴが管理している通信に欠かせない管理情報を、制御部を介して定期的に予備系ＯＬＴにバックアップする。この管理情報としては、配下のＯＮＵのＯＮＵ種別、ＭＡＣアドレス、ＳＬＡ（Ｓｅｒｖｉｃｅ  Ｌｅｖｅｌ  Ａｇｒｅｅｍｅｎｔ）、ＯＮＵに割り当てたロジカルリンク番号などＯＮＵ起動時にＯＬＴに設定されてリンク切断まで変化しない静的管理情報と、ＯＮＵリンク状況、マルチキャストアドレス情報など動的管理情報とが含まれる。そして、特許文献１記載の技術では、予備系ＯＬＴが現用系ＯＬＴに替わって動作する直前に、該当する現用系ＯＬＴのデータを有効にして、通信を行う。
【先行技術文献】
【特許文献】
【０００６】
【特許文献１】特開２００８−７２３７０号公報
【非特許文献】
【０００７】
【非特許文献１】ＩＥＥＥ  Ｐ１９０４．１  Ｄｒａｆｔ３．２  ９．３  Ｏｐｔｉｃａｌ  ｌｉｎｋ  Ｐｒｏｔｅｃｔｉｏｎ，Ｊａｎｕａｒｙ  ２０１３
【発明の概要】
【発明が解決しようとする課題】
【０００８】
しかしながら、上記特許文献１に記載の技術では、Ｎ台の現用系ＯＬＴを１台の予備系ＯＬＴでバックアップする構成において、動的管理情報がいずれかの現用系ＯＬＴで変更される度に、制御部を介して予備系ＯＬＴにバックアップする処理が発生する。このため、最悪ケースとしてＮ台の現用系ＯＬＴで同時に管理情報が変更される可能性を考慮すると、制御部および予備系ＯＬＴの管理情報処理能力を高くする必要があり、局装置のコストアップに繋がってしまう、という問題があった。
【０００９】
非特許文献１では、１台の現用系ＯＬＴに対して１台の予備系ＯＬＴを備える構成が開示されている。この構成では、Ｎ台の現用系ＯＬＴを１台の予備系ＯＬＴでバックアップする構成に比べ、予備系ＯＬＴの台数が多くなりコストが高くなるという問題があった。
【００１０】
本発明は、上記に鑑みてなされたものであって、低コストで親局装置の冗長化を実現することができる光通信システム、親局装置、子局装置、切替制御装置、制御装置、管理情報取得方法および回線切替方法を得ることを目的とする。
【課題を解決するための手段】
【００１１】
上述した課題を解決し、目的を達成するために、本発明は、１つ以上の子局装置とそれぞれ接続する複数の第１の光分配器と前記第１の光分配器を介して１つ以上の前記子局装置とそれぞれ接続する複数の現用系親局装置と１つ以上の予備系親局装置と前記現用系親局装置から前記予備系親局装置への切替を制御する切替制御装置と前記第１の光分配器との間の光回線をそれぞれ分岐させる複数の第２の光分配器と前記第２の光分配器により分岐された回線と前記予備系親局装置とを接続可能な光スイッチとを備える光通信システムであって、前記切替制御装置は、前記予備系親局装置が前記子局装置との通信に使用されていない時間帯に、前記予備系親局装置へ管理情報収集制御の開始を指示するとともに、前記複数の現用系親局装置のうちから前記子局装置との通信に使用される管理情報の取得対象とする対象現用系親局装置を選択し、前記光スイッチへ前記対象現用系親局装置と接続する前記第１の光分配器により分岐された回線を前記予備系親局装置と接続するよう指示し、前記対象現用系親局装置へ前記管理情報収集制御の開始を指示し、前記管理情報収集制御の開始を指示された前記予備系親局装置は、前記子局装置からの信号光を受信可能な状態へ移行し、前記管理情報収集制御の開始を指示された前記対象現用系親局装置は、自装置に接続する前記子局装置へ管理情報の収集を指示し、管理情報の収集を指示された前記子局装置は、前記対象現用系親局装置との通信に用いる管理情報を送信し、前記予備系親局装置は、前記子局装置から送信された管理情報を受信し、受信した管理情報を保持することを特徴とする。
【発明の効果】
【００１２】
本発明によれば、低コストで親局装置の冗長化を実現することができるという効果を奏する。
【図面の簡単な説明】
【００１３】
【図１】図１は、本発明にかかる光通信システムの構成例を示す図である。
【図２】図２は、管理情報取得処理の処理手順の一例を示すフローチャートである。
【図３】図３は、ＯＬＴ切替処理の処理手順の一例を示すフローチャートである。
【図４】図４は、Ｈｏｌｄｏｖｅｒメッセージの構成例を示す図である。
【図５】図５は、管理情報収集処理の後に直ちにＯＬＴ切替を行わない場合の処理を示すチャート図である。
【図６】図６は、管理情報収集処理の後に直ちにＯＬＴ切替を行う場合の処理を示すチャート図である。
【発明を実施するための形態】
【００１４】
以下に、本発明にかかる光通信システム、親局装置、子局装置、切替制御装置、制御装置、管理情報取得方法および回線切替方法の実施の形態を図面に基づいて詳細に説明する。なお、この実施の形態によりこの発明が限定されるものではない。
【００１５】
実施の形態．
図１は、本発明にかかる光通信システムの構成例を示す図である。本実施の形態では、本発明に係る光通信システムについて、ＰＯＮシステムを例にとり説明する。図１に示すように本実施の形態のＰＯＮシステムは、親局装置として動作する局側光通信装置（“Ｏｐｔｉｃａｌ  Ｌｉｎｅ  Ｔｅｒｍｉｎａｌ”とも言い、以降「ＯＬＴ」と称す）１−１〜１−Ｎ（Ｎは２以上の整数），１ａと、子局装置として動作する複数の利用者側光通信装置（“Ｏｐｔｉｃａｌ  Ｎｅｔｗｏｒｋ  Ｕｎｉｔ”とも言い、以降「ＯＮＵ」と称す）２−１〜２−Ｋと、切替制御装置３と、集線装置４と、光スイッチ５と、光分配器６−１〜６−Ｎ，７−１〜７−Ｎとを備える。
【００１６】
ＯＬＴ１−１〜１−Ｎは、現用系ＯＬＴとして動作し、通常（自装置の障害またはＯＮＵとの間の幹線障害の発生していない場合）は配下のＯＮＵとの間でＰＯＮプロトコルに従って通信を行う。例えば、ＯＬＴ１−１は、光分配器６−１，７−１を介して光回線によりＯＮＵ２−１〜２−Ｍ（Ｍは１以上の整数）と接続し、ＯＮＵ２−１〜２−Ｍとの間でＰＯＮプロトコルに従って通信を行う。ＯＬＴ１−Ｎは、光分配器６−Ｎ，７−Ｎを介して光回線によりＯＮＵ２−Ｌ（Ｌは２以上の整数）〜２−Ｋ（Ｋは２以上の整数）と接続し、ＯＮＵ２−Ｌ〜２−Ｋとの間でＰＯＮプロトコルに従って通信を行う。他のＯＬＴ１−２〜１−（Ｎ−１）についても同様である。
【００１７】
ＯＬＴ１ａ（以下、予備系ＯＬＴ１ａという）は、予備系ＯＬＴとして動作し、ＯＬＴ１−１〜１−Ｎのうち障害が発生したＯＬＴがある場合、障害の発生したＯＬＴに替わり、障害の発生したＯＬＴの配下のＯＮＵとの間でＰＯＮプロトコルに従って通信を行う。
【００１８】
なお、上記のＰＯＮプロトコルとは、レイヤ２の副層であるＭＡＣ（Ｍｅｄｉａ  Ａｃｃｅｓｓ  Ｃｏｎｔｒｏｌ）層等で用いられる制御用プロトコルであって、例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）で規定されているＭＰＣＰ（Ｍｕｌｔｉ−Ｐｏｉｎｔ  Ｃｏｎｔｒｏｌ  Ｐｒｏｔｏｃｏｌ）やＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）等のことである。本発明に適用するＰＯＮプロトコルはこれらの例に限定されずどのようなものであってもよい。
【００１９】
光分配器６−ｉ（ｉ＝１，２，…，Ｎ）は、光分配器７−ｉからの信号光を２分割し、一方をＯＬＴ１−ｉに出力し、他方を光スイッチ５に出力する。また、光分配器６−ｉはＯＬＴ１−ｉから出力された信号光を光分配器７−ｉへ出力する。
【００２０】
光分配器７−ｉ（ｉ＝１，２，…，Ｎ）は、光分配器６−ｉからの信号光を配下のＯＮＵの数に分割し、分割した信号光をそれぞれＯＮＵへ出力する。すなわち、光分配器７−ｉは、光分配器６−ｉとの間の光回線を分岐させる。また、光分配器７−ｉは配下のＯＮＵからの信号光を光分配器６−ｉへ出力する。
【００２１】
光スイッチ５は、Ｎ×１スイッチであり、選択可能なＮ個のポートと、１つの共通ポートを有する。共通ポートは、予備系ＯＬＴ１ａに接続し、Ｎ個のポートは、それぞれ光分配器６−１〜６−Ｎに接続する。光スイッチ５では、切替制御装置３から指示に基づいて内部のセレクタがＮ個のポートのうち１つを選択することにより、選択したポートと共通ポートとを接続することができる。光スイッチ５は、Ｎ個のポートのうちのいずれも共通ポートと接続する必要が無い場合（通常動作時）、共通ポートを無反射終端させる等により共通ポートと光分配器６−１〜６−Ｎを接続しない。または、後述のようにＮ個のポートのうちのいずれも共通ポートと接続する必要が無い場合（通常動作時）、予備系ＯＬＴ１ａの光送受信部１０を停止させているため、Ｎ個のポートのうちの任意の１つのポートを共通ポートと接続していてもよい。
【００２２】
集線装置４は、ＯＬＴ１−１〜１−Ｎ，１ａと上位ネットワークとを接続する。具体的には、ＯＬＴ１−１〜１−Ｎ，１ａにそれぞれ接続するＮ＋１個の第１のポートと上位ネットワークに接続する第２のポートとを備え、第１のポートと第２のポートを任意に接続する。集線装置４は、ＯＬＴ１−１〜１−Ｎのいずれか１つの障害時に、切替制御装置３からのリンク変更の指示に基づいて障害の発生したＯＬＴに替えて予備系ＯＬＴを上位ネットワークと接続する。集線装置４の構成はどのような構成であっても良いが、例えば、ＩＥＥＥ  Ｐ８０２．３ａｄのリンクアグリゲーションのような自律切替え機能を具備するＬ２スイッチを集線装置４として用いることができる。
【００２３】
ＯＬＴ１−１は、光送受信部１０、受信部１１、送信部１２、挿入部１３、各種ＤＢ（Ｄａｔａ  Ｂａｓｅ）（記憶部）１４、ＰＯＮリンク制御部（制御部）１５、メッセージ生成部１６、制御ＩＦ（ＩｎｔｅｒＦａｃｅ）部１７、抽出部１８、マルチキャスト処理部１９および上位回線ＩＦ部２０を備える。ＯＬＴ１−１〜１−Ｎ，１ａもＯＬＴ１−１と同様の構成である。光送受信部１０は、光受信器と光送信器を備える。
【００２４】
光送受信部１０は、光分配器７−１，６−１経由でＯＮＵ２−１〜２−Ｍから送信された信号光を受信し電気信号に変換して受信部１１へ出力する。また、光送受信部１０は、送信部１２から入力された電気信号を光信号に変換して光分配器６−１，７−１経由でＯＮＵ２−１〜２−Ｍへ送信する。光送受信部１０は、ＯＮＵ２−１〜２−Ｍから受信した信号光、ＯＮＵ２−１〜２−Ｍへ送信する信号光のパワーをモニタし、制御ＩＦ部１７へモニタ結果を通知する。また、光送受信部１０が信号光のパワーをモニタする替わりに光分配器６−１内が、上り信号光と下り信号光をモニタして信号光が一定値以下になった場合に異常として切替制御装置３へ通知するようにしてもよい。また、光送受信部１０における信号光のパワーのモニタと光分配器６−１における信号光のパワーのモニタとの両方を実施してもよい。
【００２５】
制御ＩＦ部１７は、信号光のパワーのモニタ結果に基づいて、自装置が接続する光分配器６−１〜６−Ｎまでの回線に障害が発生したか否かを監視し、障害が発生したと判断した場合は、切替制御装置３へ自装置の識別情報とともに障害発生を通知する。また、光送受信部１０以外のＯＬＴ１−１内の構成要素のうち１つ以上が自身の異常を検出するようにし、異常を検出した場合に制御ＩＦ部１７へ通知するようにしてもよい。制御ＩＦ部１７は、これらの通知を受けた場合にも切替制御装置３へ障害発生を通知するようにしてもよい。
【００２６】
また、現用系ＯＬＴ（ＯＬＴ１−１〜１−Ｎ）においては、制御ＩＦ部１７は、切替制御装置３から管理情報収集制御を実施するよう通知された場合、メッセージ生成部１６に対して管理情報収集のためのメッセージを生成するよう指示する。メッセージ生成部１６は、制御ＩＦ部１７からの指示に基づいて管理情報収集のためのメッセージを生成して送信部１２へ出力する。また、予備系ＯＬＴ１ａにおいては、制御ＩＦ部１７は、切替制御装置３から管理情報収集制御を実施するよう通知された場合、光送受信部１０内の光受信器を動作させ、光信号を受信可能な状態とし、管理情報収集完了を通知された場合、光送受信部１０内の光受信器の動作を停止させる。
【００２７】
上位回線ＩＦ部２０は、集線装置４経由で上位ネットワークからのデータを受信し、抽出部１８へ出力する。また、上位回線ＩＦ部２０は、挿入部１３から入力されるデータを集線装置４へ送信する。抽出部１８は、入力されたデータから、マルチキャストデータを抽出しマルチキャスト処理部１９へ出力し、入力されたデータのうちマルチキャストデータ以外を送信部１２へ出力する。
【００２８】
マルチキャスト処理部１９は、ＯＮＵ２−１〜２−Ｍの配下にあるマルチキャストデータを受信する端末（例えば、映像データを受信するセットトップボックスなど）と上位ネットワークにあるサーバー（例えば、映像コンテンツサーバー）とのシグナリング処理（例えば、ＩＧＭＰ；Internet  Group  Management  ProtocolやＭＬＤ；Multicast  Listener  Discovery）をモニタもしくは終端し、マルチキャストデータを送信してもよいＯＮＵを識別し記憶する。端末からのシグナリングを受信部１１から入力する。また、上位ネットワークへのシグナリングを挿入部１３へ出力する。挿入部１３は、マルチキャスト処理部１９からのシグナリングを上位回線ＩＦ部２０へ出力する。また、マルチキャスト処理部１９は、ＯＮＵ２−１〜２−Ｍのうちマルチキャストデータの送信を許可するＯＮＵへ、通過させて良いマルチキャスト許可アドレス制御信号（例えば、拡張ＯＡＭフレーム）を生成し、送信部１２へ出力する。
【００２９】
ＰＯＮリンク制御部１５は、ＰＯＮプロトコルに従って配下のＯＮＵを制御するための制御信号を生成して送信部１２へ出力し、受信部１１から入力されるＯＮＵから受信した制御信号を処理する。
【００３０】
送信部１２は、ＰＯＮリンク制御部１５、マルチキャスト処理部１９、抽出部１８、メッセージ生成部１６から入力される信号に対して所定の送信処理を実施して光送受信部１０へ出力する。
【００３１】
受信部１１は、光送受信部１０から出力される信号の種別を検出し、制御信号についてはＰＯＮリンク制御部１５へ出力し、マルチキャストデータについてはマルチキャスト処理部１９へ出力し、マルチキャストデータ以外の上りデータについては挿入部１３へ出力する。また、受信部１１は、制御信号のうち、保持しておくべき管理情報についてはＰＯＮリンク制御部１５へ出力するとともに各種ＤＢ１４へ格納する。
【００３２】
なお、ＰＯＮリンク制御部１５、メッセージ生成部１６および制御ＩＦ部１７を１つのＰＯＮ制御部（制御装置）として構成するようにしてもよい。
【００３３】
ＯＮＵ２−１は、光送受信部２１、送信部２２、受信部２３、マルチキャスト処理部２４、メッセージ受信部２５、挿入部２６、ＰＯＮリンク制御部（制御部）２８および回線ＩＦ部２９を備える。他のＯＮＵもＯＮＵ２−１と同様の構成である。以下の説明では、ＯＮＵ２−１について各部の機能を説明するが、接続するＯＬＴ等が異なる以外は、他のＯＮＵも同様の機能を有する。
【００３４】
光送受信部２１は、光分配器６−１，７−１経由でＯＬＴ１−１（または光スイッチ５、光分配器６−１，７−１経由で予備系ＯＬＴ１ａ）から送信された信号光を受信し電気信号に変換して受信部２３へ出力する。また、光送受信部２１は、送信部２２から入力された電気信号を光信号に変換して光分配器７−１，６−１経由でＯＮＵ２−１（または光分配器７−１，６−１、光スイッチ５経由で予備系ＯＬＴ１ａ）へ送信する。光送受信部２１は、光受信器と光送信器を備える。
【００３５】
受信部２３は、光送受信部２１から出力される信号の種別を検出し、制御信号についてはＰＯＮリンク制御部２８へ出力し、マルチキャストデータおよびマルチキャスト許可アドレス制御信号についてはマルチキャスト処理部２４へ出力し、それら以外の下りデータについては挿入部２６へ出力する。また、受信部２３は、光送受信部２１から出力される信号が管理情報収集のためのメッセージであった場合、メッセージ受信部２５へ当該メッセージを出力する。
【００３６】
メッセージ受信部２５は、受信したメッセージに基づいて収集を要求された管理情報を送信するようＰＯＮリンク制御部２８へ指示する。
【００３７】
ＰＯＮリンク制御部２８は、ＰＯＮプロトコルに従ってＯＬＴ１−１へ送信する制御信号を生成して送信部２２へ出力し、受信部２３から入力されるＯＬＴ１−１から受信した制御信号を処理する。また、ＰＯＮリンク制御部２８は、メッセージ受信部２５から管理情報の送信の指示を受けると、指示された管理情報を格納した管理情報格納メッセージを生成して送信部２２へ出力する。
【００３８】
マルチキャスト処理部２４は、受信部２３から入力されたマルチキャスト許可アドレス制御信号により許可されたマルチキャストデータのみ通過させ、挿入部２６へ出力する。
【００３９】
挿入部２６は、入力されたデータに、自身に接続する図示しないユーザ端末等へ送信するために必要な情報を挿入し、回線ＩＦ部２９へ出力する。回線ＩＦ部２９は、図示しないユーザ端末から上りデータを受信し、送信部２２へ出力する。また、回線ＩＦ部２９は、挿入部２６から入力される下りデータを図示しないユーザ端末等へ送信する。
【００４０】
送信部２２は、ＰＯＮリンク制御部２８、マルチキャスト処理部２４から入力される信号に対して所定の送信処理を実施して光送受信部２１へ出力する。
【００４１】
なお、ＰＯＮリンク制御部２８およびメッセージ受信部２５を１つのＰＯＮ制御部（制御装置）として構成するようにしてもよい。
【００４２】
切替制御装置３は、管理情報取得要因を検出した場合、後述する管理情報取得処理を実施する。また、切替制御装置３は、ＯＬＴ１−１〜１−Ｎの制御ＩＦ部１７から障害検出の通知を受信した場合、通知を送信したＯＬＴを予備系ＯＬＴに切替えるＯＬＴ切替制御を実施する。ＯＬＴ切替制御の詳細は後述する。
【００４３】
なお、本実施の形態では、ＯＬＴ１−１〜１−Ｎ，１ａがマルチキャスト処理部１９を備え、ＯＮＵ２−１〜２−Ｋがマルチキャスト処理部２４を備えるようにしたが、マルチキャストデータの送受信を行わない場合には、これらを備えなくてもよい。
【００４４】
ＯＬＴ切替の際に、通信できなくなる時間を極力短くするためには、現用系ＯＬＴが管理している通信に欠かせない管理情報を、予備系ＯＬＴへ送信することが考えられる。この管理情報としては、配下のＯＮＵのＯＮＵ種別、ＭＡＣアドレス、ＳＬＡ（Ｓｅｒｖｉｃｅ  Ｌｅｖｅｌ  Ａｇｒｅｅｍｅｎｔ）、ＯＮＵに割り当てたロジカルリンク番号などＯＮＵ起動時にＯＬＴに設定されてリンク切断まで変化しない静的管理情報と、ＯＮＵリンク状況、マルチキャストアドレス情報など動的管理情報とが含まれる。例えば、上述した特許文献１に記載の技術では、制御部を介して定期的に予備系ＯＬＴに管理情報をバックアップする。そして、予備系ＯＬＴが現用系ＯＬＴに替わって動作する直前に、該当する現用系ＯＬＴのデータを有効にして、通信を行う。
【００４５】
しかしながら、上記特許文献１に記載の方法では、現用系ＯＬＴの数が多くなると制御部と予備系ＯＬＴの処理負荷が高くなり、コストアップに繋がる。本実施の形態では、管理情報を、静的管理情報と動的管理情報に分け、静的管理情報については任意のタイミングで一度予備系ＯＬＴが取得することとし、動的管理情報については、切替制御装置３の制御に基づいて予備系ＯＬＴ１ａがＯＮＵ２−１〜２−Ｎから直接、動的管理情報を取得することにより、処理負荷の増大を防ぐ。
【００４６】
図２は、本実施の形態の管理情報取得処理の処理手順の一例を示すフローチャートである。通常時には、現用系ＯＬＴであるＯＬＴ１−１〜１−Ｎは、それぞれ自身の配下のＯＮＵの起動時や通信の開始時等に得られる静的および動的な管理情報により、ＯＬＴ１−１〜１−Ｎの各部に適切に設定を行うことで、配下のＯＮＵとの通信を実施する。また、集線装置４は、切替制御装置３からの指示に基づいて上位ネットワークと現用系ＯＬＴ（ＯＬＴ１−１〜１−Ｎ）を接続する。また切替制御装置３は、通信中に学習したアドレス情報をもとに通信フレームを適切なポートに振り分けて通信を実施する。通常時には、光スイッチ５および予備系ＯＬＴ１ａはいずれの通信にも関与していない。また、通常時には、予備系ＯＬＴ１ａでは、光送受信部１０の光受信器および光送信器を停止させている。このような通常時に、図２に示す管理情報取得処理を実施する。
【００４７】
切替制御装置３は、管理情報を取得する要因を検出する（ステップＳ１）と、切替制御装置３はまず予備系ＯＬＴ１ａの障害が無いことを確認する（ステップＳ２）。管理情報を取得する要因とは、例えば、定期的に管理情報取得を実施するよう設定されている場合に、管理情報の取得周期を計測するタイマのタイムアウト等であり、他にも、運用者からの保守コマンドの入力等であってもよい。また、予備系ＯＬＴ１ａの障害が無いことを確認する方法は、どのような方法でもよいが、切替制御装置３が、予備系ＯＬＴ１ａへ正常に動作しているか否かを確認する信号を送信し、予備系ＯＬＴ１ａから当該信号に対する正常応答を受信したか否かにより判断することができる。
【００４８】
以下、ここでは、切替制御装置３からの制御により、ＯＬＴ１−１についての管理情報を予備系ＯＬＴ１ａが取得する例について説明する。他の現用系ＯＬＴについても、予備系ＯＬＴ１ａは同様に管理情報を取得することができる。ＯＬＴ１−１についての管理情報を予備系ＯＬＴ１ａに取得させる場合、切替制御装置３は、光スイッチ５に対して、光分配器６−１に接続する１番目のポート（ポート＃１という）を共通ポートに接続する制御を行う（ステップＳ３）。これにより、ＯＬＴ１−１の配下のＯＮＵ２−１〜２−Ｍと予備系ＯＬＴ１ａが接続される。
【００４９】
次に、切替制御装置３は、予備系ＯＬＴ１ａに対してＯＬＴ１−１についての管理情報収集制御開始を指示する（ステップＳ４）。この指示により、予備系ＯＬＴ１ａは光送受信部１０の光受信器を動作させ、ＯＬＴ１−１の配下のＯＮＵ２−１〜２−Ｍからの上り光信号を受信できるようになる。
【００５０】
さらに切替制御装置３は、ＯＬＴ１−１に対して管理情報収集制御の開始を指示し、管理情報の収集完了の通知を待つ（ステップＳ５）。この指示によりＯＬＴ１−１は管理情報収集メッセージを配下のＯＮＵ２−１〜２−Ｍに通知する。管理情報収集メッセージを受信したＯＮＵ２−１〜２−Ｍは、直ちに動的管理情報を格納した管理情報格納メッセージを送信する。これらの管理情報格納メッセージをＯＬＴ１−１だけでなく予備系ＯＬＴ１ａも受信する。予備系ＯＬＴ１ａはこれらの管理情報格納メッセージによって動的管理情報を取得する。ＯＬＴ１−１は、ＯＮＵ２−１〜２−Ｍからの管理情報格納メッセージの受信が完了すると、管理情報の収集完了を切替制御装置３に通知する。
【００５１】
切替制御装置３は、管理情報の収集完了の通知を受信すると、ＯＬＴ１−１から予備系ＯＬＴ１ａへの切替を直ちに実施するか否かを判断する（ステップＳ６）。切替を実施しない場合（ステップＳ６  Ｎｏ）、予備系ＯＬＴ１ａに対して管理情報収集制御の終了を通知して処理を終了する。切替を実施する場合（ステップＳ６  Ｙｅｓ）、後述のＯＬＴ切替処理を実施する（ステップＳ７）。直ちに切替を実施しないケースとしては、例えば、ＯＬＴ１−１の故障に備え、予備系ＯＬＴ１ａにＯＬＴ１−１の情報を取得させるケースに相当する。直ちに切替を実施するケースは、バージョンアップなどを目的として、保守コマンドによりＯＬＴ１−１を意図的に予備系ＯＬＴ１ａに切り替えるケース等に相当する。
【００５２】
以上の処理により、予備系ＯＬＴ１ａは、ＯＬＴ１−１が管理する動的管理情報を取得することができる。予備系ＯＬＴ１ａでは、受信部１１が、動的管理情報を各種ＤＢ１４に格納する。なお、静的管理情報は、任意のタイミングで切替制御装置３から予備系ＯＬＴ１ａへ通知することで取得できる。例えば、接続する各ＯＬＴ１−１〜１−Ｎが、配下のＯＮＵが増えるたび（ディスカバリ処理等によりＯＮＵを検出した場合等）に、当該ＯＮＵの静的管理情報を切替制御装置３経由で予備系ＯＬＴ１ａへ送信することができる。または、初回の動的管理情報の取得時に、静的管理情報についても動的管理情報の取得の直前または直後に取得するようにしてもよい。
【００５３】
動的管理情報取得処理を実施するタイミングは任意であるが、全ＯＬＴ１−１〜１−Ｎについて、障害発生時に備えて管理情報を取得しておく場合は、通常時に、例えば、時分割でＯＬＴ１−１〜１−Ｎのそれぞれについて定期的に順番に管理情報を取得することが考えられる。この場合、予備系ＯＬＴ１ａは、ＯＬＴ１−１〜１−Ｎごとに管理情報を保持しておき、ＯＬＴ１−１〜１−Ｎのいずれかに障害が発生した場合は、障害の発生したＯＬＴ１−１〜１−Ｎについての管理情報を読み出して用いる。どのＯＬＴ１−１〜１−Ｎに障害が発生したかの情報は、切替制御装置３から予備系ＯＬＴ１ａへ通知する。また、障害対策ではなく、バージョンアップのために一時的に特定のＯＬＴを停止させる場合等には、全てのＯＬＴ１−１〜１−Ｎについて管理情報を取得せずに、一部のＯＬＴについて上記の管理情報取得処理を実施して管理情報を予備系ＯＬＴ１ａが取得するようにしてもよい。
【００５４】
次にＯＬＴ切替処理について説明する。図３は、ＯＬＴ切替処理の処理手順の一例を示すフローチャートである。ここでは、図２のステップＳ６で直ちに切替を実施すると判断した場合にステップＳ７としてＯＬＴ１−１から予備系ＯＬＴ１ａへ切替える例を説明する。図３に示すように、ＯＬＴ切替処理を開始すると、切替制御装置３は、ＯＬＴ１−１に対して通信停止制御の開始を指示する（ステップＳ１１）。ＯＬＴ１−１は、この指示を受信すると、例えば、非特許文献１で規定されたＨｏｌｄｏｖｅｒ開始メッセージを配下の全ＯＮＵへブロードキャスト送信し、その後光送受信部１０を停止させることにより通信を停止する。
【００５５】
図４は、非特許文献１で規定されたＨｏｌｄｏｖｅｒメッセージの構成例を示す図である。図４に記載のＦｌａｇのＦｉｅｌｄにｓｔａｒｔを示す値（“０ｘ０１”）が格納されたものがＨｏｌｄｏｖｅｒ開始メッセージであり、ＦｌａｇのＦｉｅｌｄにｅｎｄを示す値（“０ｘ００”）が格納されたものがＨｏｌｄｏｖｅｒ完了メッセージである。ＰＯＮシステムでは、ディスカバリ処理等が実施されることによりリンクの設定情報がＯＬＴからＯＮＵへ通知されＯＬＴとＯＮＵが通信可能な状態となる。ＯＮＵは、一定時間以上ＯＬＴからの信号を受信できなかった場合、回線異常が発生したと判断してリンクの設定情報を初期化（破棄）する。これに対し、Ｈｏｌｄｏｖｅｒ開始メッセージを受信した場合には、ＯＮＵでは、Ｈｏｌｄｏｖｅｒ開始メッセージを受信するとＨｏｌｄｏｖｅｒ完了メッセージを受信するまでは、一定時間以上ＯＬＴからの信号の受信がない場合でもリンクを維持する。具体的には、リンクの設定情報を初期化せずに保持したままとする。
【００５６】
なお、具体的には、Ｈｏｌｄｏｖｅｒメッセージの生成は、メッセージ生成部１６が行ってもよいしＰＯＮリンク制御部１５が行ってもよい。また、ＯＮＵ２−１〜２−Ｋのメッセージ受信部２５が、受信部２３からＨｏｌｄｏｖｅｒ開始メッセージを受信して、ＰＯＮリンク制御部２８へ管理情報の送信とリンクの維持を指示するようにしてもよいし、ＰＯＮリンク制御部２８が受信部２３から直接Ｈｏｌｄｏｖｅｒ開始メッセージを受信するようにしてもよい。Ｈｏｌｄｏｖｅｒ完了メッセージについても同様に、メッセージ受信部２５が受信してＰＯＮリンク制御部２８へ通信再開を指示するようにしてもよいし、ＰＯＮリンク制御部２８が直接Ｈｏｌｄｏｖｅｒ完了メッセージを受信してもよい。
【００５７】
次に、切替制御装置３は、集線装置４に対してＯＬＴ１−１の替わりに予備系ＯＬＴ１ａを上位ネットワークと接続するようリンク変更する制御を行う（ステップＳ１２）。リンク切替方法は一般的に知られた方式を用いると良い。例えばＯＬＴ１−１のリンクと予備系ＯＬＴ１ａのリンクとをＩＥＥＥ  ８０２．１ＡＸで規定されたリンクアグリゲーショングループとし、通常時には予備系ＯＬＴ１ａのリンクを停止させ、ＯＬＴ１−１から予備系ＯＬＴ１ａへの切替時にはＯＬＴ１−１のリンクを停止させることで、ＯＬＴ１−１のリンクで学習したＭＡＣアドレス学習情報を即座に引き継ぐことができ、リンク切替処理時間を短くすることができる。最後に、切替制御装置３は、予備系ＯＬＴ１ａへ通信再開制御の開始を指示し（ステップＳ１３）、処理を終了する。この指示により予備系ＯＬＴ１ａは光送受信部１０の光送信器も動作させ、Ｈｏｌｄｏｖｅｒ完了メッセージを配下の全ＯＮＵ２−１〜２−Ｍへブロードキャスト送信し、通信を再開する。なお、ここでは、ＯＮＵに対する通信停止と再開にＨｏｌｄｏｖｅｒメッセージを用いるようにしたが、通信停止（リンクの維持の指示も含む）と再開の指示形式はこの形式に限定されない。
【００５８】
なお、ステップＳ５で用いる管理情報収集メッセージおよび管理情報格納メッセージは、専用のメッセージを規定しても良いが、既存のメッセージを用いることもできる。例えば、ＯＮＵリンク情報は、ＯＬＴ１−１からＩｎｆｏｒｍａｔｉｏｎ  ＯＡＭＰＤＵを各ＯＮＵに送信し、ＯＮＵ２−１〜２−Ｍから応答されるＩｎｆｏｒｍａｔｉｏｎ  ＯＡＭＰＤＵを受信することで取得できる。また、マルチキャストアドレス情報は、ＯＬＴ１−１から全ＯＮＵ２−１〜２−Ｍへ向けてＩＧＭＰ（Ｉｎｔｅｒｎｅｔ  Ｇｒｏｕｐ  Ｍａｎａｇｅｍｅｎｔ  Ｐｒｏｔｏｃｏｌ）（ＩＰｖ４の場合）またはＭＬＤ（Ｍｕｌｔｉｃａｓｔ  Ｌｉｓｔｅｎｅｒ  Ｄｉｓｃｏｖｅｒｙ）（ＩＰｖ６の場合）のＧｅｎｅｒａｌ  Ｑｕｅｒｙを送信し、ＯＮＵ２−１〜２−Ｍから応答されるＲＥＰＯＲＴを受信することで取得できる。
【００５９】
以上の説明では、管理情報取得処理に続いてＯＬＴ切替処理を行う例（保守コマンドによる場合等）を説明した。ＯＬＴ１−１〜１−Ｎの障害によりＯＬＴ切替処理を行う場合、管理情報取得処理とは独立したタイミングでＯＬＴ切替処理を行うことになる。定期的に現用系ＯＬＴであるＯＬＴ１−１〜１−Ｎについてそれぞれ上記の管理情報取得処理を実施していれば、切替制御装置３がＯＬＴ１−１〜１−Ｎの障害を検出して予備系ＯＬＴ１ａへ切替えると判断した場合にも、図３で説明した処理と同様のＯＬＴ切替処理を実施することができる。ただし、この場合、予備系ＯＬＴ１ａでは光送受信部１０の光受信器も停止中であるため、ステップＳ１３の指示を受信した予備系ＯＬＴ１ａは、光送受信部１０の光受信器についても動作させる。
【００６０】
以上に述べた管理情報収集処理を切替制御装置３以外の装置の動作も含めたチャート図を用いて説明する。図５は、管理情報収集処理の後に直ちにＯＬＴ切替を行わない場合の処理を示すチャート図である。図５は、図２のステップＳ６で切替を実施しないと判断する例に相当する。
【００６１】
切替制御装置３は、図２のステップＳ１，Ｓ２で述べたように管理情報の取得要因を検出すると管理情報取得処理を開始し、予備系ＯＬＴ１ａの障害が無いことを確認する（ステップＳ２１）。予備系ＯＬＴ１ａに障害が無い場合、切替制御装置３は、光スイッチ５に対して、管理情報（動的管理情報）の取得の対象となるＯＬＴ１−１〜１−Ｎ（対象ＯＬＴ）を共通ポートに接続する制御を行う（ステップＳ２２）。切替制御装置３は、予備系ＯＬＴ１ａに対象ＯＬＴについての管理情報収集制御開始を指示する（ステップＳ２３）。この指示により、予備系ＯＬＴ１ａは光送受信部１０の光受信器を動作させる。図５の太線の区間は、予備系ＯＬＴ１ａが光送受信部１０の光受信器を動作させている期間を示している。
【００６２】
次に、切替制御装置３は、対象ＯＬＴである現用系ＯＬＴに対して管理情報収集制御開始を指示する（ステップＳ２４）。対象ＯＬＴである現用系ＯＬＴは、管理情報収集メッセージを配下のＯＮＵへ送信し（ステップＳ２５）、ＯＮＵは管理情報を格納したメッセージを対象ＯＬＴである現用系ＯＬＴと予備系ＯＬＴ１ａとに送信する（ステップＳ２６）。なお、図５では、図の簡略化のためにＯＮＵを１台のみ記載しているが、ＯＮＵが複数接続されている場合は、全ＯＮＵに管理情報収集メッセージを送信し、全ＯＮＵから管理情報を格納したメッセージを受信する。
【００６３】
対象ＯＬＴである現用系ＯＬＴは、ＯＮＵから管理情報を格納したメッセージを受信すると、管理情報取得の完了通知を切替制御装置３へ送信する（ステップＳ２７）。管理情報取得の完了通知を受信した切替制御装置３は、管理情報収集の終了通知を予備系ＯＬＴ１ａへ送信する（ステップＳ２８）。この終了通知を受信すると、予備系ＯＬＴ１ａは、光送受信部１０の光受信器を停止させる。
【００６４】
図６は、管理情報収集処理の後に直ちにＯＬＴ切替を行う場合の処理を示すチャート図である。ステップＳ２１〜ステップＳ２７は、図５の例と同様である。切替制御装置３は、管理情報取得の完了通知を受信した後、ＯＬＴ切替を直ちに実施すると判断し、対象ＯＬＴである現用系ＯＬＴに対して通信停止を指示する（ステップＳ３０）。対象ＯＬＴである現用系ＯＬＴは、この指示を受信すると、例えば、Ｈｏｌｄｏｖｅｒ開始メッセージを配下の全ＯＮＵへブロードキャスト送信し（ステップＳ３１）、その後光送受信部１０を停止させることにより通信を停止する。
【００６５】
また、切替制御装置３は、集線装置４に対して対象ＯＬＴである現用系ＯＬＴの替わりに予備系ＯＬＴ１ａを上位ネットワークと接続するようリンク変更する制御を行う（ステップＳ３２）。さらに、切替制御装置３は、予備系ＯＬＴ１ａへ通信再開制御の開始を指示し（ステップＳ３３）、この指示により予備系ＯＬＴ１ａは光送受信部１０の光送信器も動作させ、Ｈｏｌｄｏｖｅｒ完了メッセージを配下の全ＯＮＵ２−１〜２−Ｍへブロードキャスト送信する（ステップＳ３４）。Ｈｏｌｄｏｖｅｒ完了メッセージを受信したＯＮＵ２−１〜２−Ｍは、保持しているリンクの設定情報を用いて通信を再開する。図６の実線の太線の区間は、予備系ＯＬＴ１ａが光送受信部１０の光受信器を動作させている期間を示している。図６の実線の破線の太線の区間は、予備系ＯＬＴ１ａが光送受信部１０の光送信器を動作させている期間を示している。
【００６６】
なお、予備系ＯＬＴ１ａから現用系ＯＬＴへ切替える場合も、切替先の現用系ＯＬＴを上記の例の予備系ＯＬＴ１ａとみなし、予備系ＯＬＴ１ａを現用系ＯＬＴとみなして、上記と同様の動作を実施することにより、切替時の通信停止時間を抑えてＯＬＴの切替を行うことができる。
【００６７】
また、以上の例では、予備系ＯＬＴが１台の例を説明したが、予備系ＯＬＴを２台以上としてもよい。この場合も、２台以上の予備系ＯＬＴがそれぞれ上記の手順で管理情報を取得する。なお、２台以上の予備系ＯＬＴを備える場合、ＰＯＮシステムをどのように構成してもよいが、例えば、予備系ＯＬＴの台数をＡとし、（Ｎ／Ａ）×１である光スイッチ５をＡ台持たせ、Ａ台の予備系ＯＬＴをそれぞれ光スイッチ５と接続する構成が考えられる。または、光分配器６−１〜６−Ｎにてそれぞれ１＋Ａの信号光に分岐させて、Ｎ×１スイッチである光スイッチをＡ台備えて、それぞれの光スイッチを予備系ＯＬＴに接続してもよい。
【００６８】
以上のように、本実施の形態では、切替制御装置３からの制御に基づいて、予備系ＯＬＴ１ａは、一度に１つの現用系ＯＬＴについての管理情報を取得する。このため、予備系ＯＬＴ１ａに要求される動的管理情報取得処理性能は、現用系ＯＬＴと同じで良い。また、切替制御装置３の処理能力も従来と同じで良い。従って、ＯＬＴのＮ：１冗長構成においてＮが大きい場合であっても、切替制御装置３および予備系ＯＬＴ１ａの管理情報処理能力を高くする必要が無くコストを抑えることができる。Ｎが大きいほど、光アクセスシステムにおける予備用品の相対コストが下がることから、回線切替可能な光アクセスシステムを低コストで提供することが可能である。
【産業上の利用可能性】
【００６９】
以上のように、本発明にかかる光通信システム、親局装置、子局装置、切替制御装置、制御装置、管理情報取得方法および回線切替方法は、ＰＯＮシステムに有用であり、特に、親局装置を冗長化するＰＯＮシステムに適している。
【符号の説明】
【００７０】
１−１〜１−Ｎ  ＯＬＴ、１ａ  予備系ＯＬＴ、２−１〜２−Ｋ  ＯＮＵ、３  切替制御装置、４  集線装置、５  光スイッチ、６−１〜６−Ｎ，７−１〜７−Ｎ  光分配器、１０，２１  光送受信部、１１，２３  受信部、１２，２２  送信部、１３，２６  挿入部、１４  各種ＤＢ、１５，２８  ＰＯＮリンク制御部、１６  メッセージ生成部、１７  制御ＩＦ部、１８  抽出部、１９，２４  マルチキャスト処理部、２０  上位回線ＩＦ部、２５  メッセージ受信部、２９  回線ＩＦ部。
【図１】
2014236419.tif 000003
【図２】
2014236419.tif 000004
【図３】
2014236419.tif 000005
【図４】
2014236419.tif 000006
【図５】
2014236419.tif 000007
【図６】
2014236419.tif 000008